(57)【特許請求の範囲】
【請求項１】
仮設足場用の角形支柱（１）に嵌合する水平手摺枠（２）とコーナー手摺枠（３）とよりなる仮設足場用移動安全装置において、該水平手摺枠（２）及びコーナー手摺枠（３）には、側面全長に案内軌条（５）を装設し、該案内軌条（５）には案内溝（６）を設けると共に、該案内溝（６）に掛鉤用の摺動金具（７）を摺動自在に掛合し、且つ、該コーナー手摺枠（３）には、１端部の該案内軌条（５）に湾曲軌条（１６）を形成し、該水平手摺枠（２）と該コーナー手摺枠（３）には、各々１端部の一方のみに開口部を設けた二又状の二又係合部（１０）（１０）と二又係合部（１３）（１３）とを形成し、他端部には、各々単数の係合部（１２）と係合部（１５）とを形成したことを特徴とする仮設足場用移動安全装置。
【発明の詳細な説明】
【０００１】
【産業上の利用分野】
本発明は、建設現場に枠組する仮設足場枠に装設する手摺枠等に命綱等を係合して落下防止に備えるための緊急時用の仮設足場用移動安全装置に関するものである。
【０００２】
【従来の技術】
一般にこの種の仮設足場における安全装置においては、施工後に足場板に乗って作業するのに安全帯等の使用が不便なために、面倒な安全帯を使用しない場合が非常に多く、落下する等の事故の原因となっている。
【０００３】
更に、従来の仮設足場にあっては、足場板の上で作業する施工者は、安全帯等の使用が義務づけられているが、それを使用しない理由は、安全帯を、例えば手摺枠に装着して使用しても該手摺枠の長さ寸法は最大で１．８ｍ間隔であるため、移動の際に安全帯等の掛け鉤等の着脱を繰り返さなければならない面倒な作業があるために使用しないと云う問題点がある。
【０００４】
【発明が解決しようとする課題】
本発明は、上記従来の問題点を解決するものであって、その主たる目的とする所は、仮設の足場板の上で作業する施工者の方々が、鍵付ワイヤーロープ等の安全帯を使用した状態で建物の四面外周の足場板上を自由に移動できるようにした仮設足場用安全装置を提供するものである。
【０００５】
【課題を解決するための手段】
本発明は、仮設足場に枠組する縦方向の方形状等よりなる角形支柱に対して横方向に連結する手摺を水平手摺枠とコーナーに使用するコーナー手摺枠とを嵌装する。前記水平手摺枠とコーナー手摺枠には、各々側面の全長に案内溝を設けた案内軌条を装設してある。該コーナー手摺枠には、案内軌条の１端部を湾曲軌条として水平手摺枠の端部の案内軌条と連通するようにしてある。
更に、水平手摺枠とコーナー手摺枠には、各々１端部の一方に開口部を設けた二又状の二又係合部を形成する。他端部には、各々単数の係合部を形成することによって該角形支柱に嵌装組立するようにしたものである。
【０００６】
【作用】
上記のように構成された足場用移動安全装置の用法を説明すると、図５に示す如く、角形支柱（１）（１）間に案内軌条（５）を設けた水平手摺枠（２）（２）を連結する。また、図６に示すコーナー部分には、案内軌条（５）の端部に湾曲軌条（１６）を設けてあるコーナー手摺枠（３）を連接する。この時には、該案内軌条（５）の案内溝（６）に予め摺動金具（７）を摺動自在に係合してある。この摺動金具（７）に図７に示す如く、作業者（１９）に連繋したワイヤーロープ（１７）等の先端を懸掛接続するものである。作業者（１９）は、足踏板（２０）の上を自由に移動でき、ワイヤーロープ（１７）等の安全帯を脱着せずに常時締め付けした状態でコーナー部分を自由自在に移動することができるものである。
【０００７】
【実施例】
次に、本発明の実施例を図面について説明すると、図１に示す構造物（２１）の外周に枠組する仮設足場用のアルミニウム、鋼鉄等よりなる各角形支柱（１）（１）……には、縦方向に所定間隔を設けて突出段部（８）（８）…と凹弧段部（９）（９）…とを交互に形成してある。
【０００８】
前記角形支柱（１）（１）の間には、図５に示すように水平部分に水平手摺枠（２）（２）を連結し、コーナー部分には水平手摺枠（２）とコーナー手摺枠（３）を各連結するようになっている。該水平手摺枠（２）には、構造物（２１）側の側面に案内溝（６）を形成した断面方形状等よりなる案内軌条（５）を一体に装着してある。また、該コーナー手摺枠（３）は、図６に示すように側面に水平手摺枠（２）と同様な該案内軌条（５）を装着摺ると共に、案内軌条（５）の端部の１ヶ所に湾曲したコーナー部分となる湾曲軌条（１６）を形成してある。符号（７）の摺動金具は、該案内軌条（５）の案内溝（６）に対して予め必要時等に懸吊すればよいものである。
【０００９】
該水平手摺枠（２）には、図２示す如く、１端部には一方に開口部を有する二又状の該角形支柱（１）に嵌合する二又係合部（１０）（１０）を設けると共に、二又係合部（１０）（１０）との間に嵌合凹部（１１）を形成し、他端部には、単数の係合部（１２）を形成してある。
また、該コーナー手摺枠（３）には、１端部に該角形支柱（１）に側方より嵌合する方向に開口部を設けた二又状となる二又係合部（１３）（１３）を形成すると共に、該二又係合部（１３）（１３）の間に嵌合凹部（１４）を形成してある。また、他端部には、案内軌条（５）の端部の湾曲軌条（１６）の外側に係合部（１５）を形成した構成となっている。
【００１０】
【発明の効果】
本発明は、以上説明したように構成されているので、従来の足場用安全装置のように移動の際に毎回安全帯等を着脱すると云う非常に面倒な作業を行う必要がなく、仮設足場の四方を自由に回動移動して作業ができると云う便利な効果があると共に、仮設足場からの落下事故を確実に防止できる優れた効果がある。そして、水平手摺枠とコーナー手摺枠との側面に案内溝を設けた案内軌条を装着してあるので、案内軌条は著しく突出しないので強固となり、邪魔とならない効果と、足踏板上の移動が簡単にできる効果がある。また、コーナー手摺枠の１端部に設けた湾曲軌条を形成したので、案内溝に係合した安全の摺動金具はコーナー部分の案内軌条を何等抵抗がなく軽快に移動できる優れた効果がある。更に、角形支柱に架設連接する水平手摺枠とコーナー手摺枠との各１端部に二又状の二又係合部と、他端部の単数の係合部によっては、各々が角形支柱に確実強固に嵌合連結され、容易に脱離することがない便利な効果がある。
【図面の簡単な説明】
【図１】本発明の移動安全装置を仮設足場に使用している全体の斜面図である。
【図２】本発明の水平手摺枠の斜面図である。
【図３】本発明のコーナー手摺枠の斜面図である。
【図４】同じく本発明の案内軌条に摺動金具を装着する状態を示す１欠除した斜面図である。
【図５】同じく本発明の角形支柱に水平手摺枠とコーナー手摺枠との装着状態を示す斜面図である。
【図６】本発明の角形支柱のコーナー部分の連結部分を示す欠除した斜面図である。
【図７】本発明の作業者が安全帯を案内軌条に連結した状態を示す斜面図である。
【符号の説明】
１            角形支柱
２            水平手摺枠
３            コーナー手摺枠
５            案内軌条
６            案内溝
７            摺動金具
８            突出段部
９            凹弧段部
１０・１２    二又係合部
１１・１４    嵌合凹部
１６          湾曲軌条
１７          安全帯
２０          足場板
【図１】
0004143945.tif 000002
【図２】
0004143945.tif 000003
【図３】
0004143945.tif 000004
【図４】
0004143945.tif 000005
【図５】
0004143945.tif 000006
【図６】
0004143945.tif 000007
【図７】
0004143945.tif 000008